(57)【要約】【目的】新たな放送局が開設されたときに、そのチャンネルで放送される番組の雰囲気をユーザに煩わしい思いをさせずに紹介することができるディジタル放送受信装置を提供する。【構成】新開局チャンネルが検出されたとき、ＣＰＵ１３は当該チャンネルの番組情報を検索し、当該チャンネルに係る番組案内番組を検出する。番組案内番組が検出されたら、その放送日時に自動的に受信を行って録画を実行する。番組案内番組がない場合には、番組ジャンルや番組放送時間帯などのユーザ設定に基づき、番組情報から所定の番組を選択して録画を行う。自動録画を行ったときには、例えば視聴中の画面にメッセージを表示してユーザに通知する。【選択図】　　　　　　　　図１
2004128883.tif 000002
【特許請求の範囲】
【請求項１】
チャンネルサーチを実行して新開局チャンネルを検出する手段と、新開局チャンネルの番組情報を取得する手段と、前記番組情報に基づいて新開局チャンネルの番組案内番組を検出する手段と、番組案内番組を受信して自動録画する手段と、を備えたことを特徴とするディジタル放送受信装置。
【請求項２】
請求項１に記載のディジタル放送受信装置において、新開局チャンネルの番組案内番組を検出できなかったときには、ユーザ設定に基づき、番組情報を検索して所定の番組を自動録画するように構成されたことを特徴とするディジタル放送受信装置。
【請求項３】
請求項２に記載のディジタル放送受信装置において、ユーザによって指定された所定の時間帯に放送される番組を自動録画するように構成したことを特徴とするディジタル放送受信装置。
【請求項４】
請求項２又は請求項３に記載のディジタル放送受信装置において、録画する番組の種類をユーザが設定できるように構成したことを特徴とするディジタル放送受信装置。
【請求項５】
請求項２乃至請求項４のいずれかに記載のディジタル放送受信装置において、番組の録画時間をユーザが設定できるように構成したことを特徴とするディジタル放送受信装置。
【請求項６】
請求項１乃至請求項５に記載のディジタル放送受信装置において、新開局チャンネルが有料放送を含むときには、無料の番組案内番組又はユーザ設定に基づく所定の無料番組を検出して自動録画するように構成したことを特徴とするディジタル放送受信装置。
【請求項７】
請求項１乃至請求項６に記載のディジタル放送受信装置において、新開局チャンネルにおける番組自動録画を行った旨をユーザに通知するように構成したことを特徴とするディジタル放送受信装置。
【発明の詳細な説明】
【０００１】
【産業上の利用分野】
この発明は、ディジタル放送を受信するディジタル放送受信装置に関する。
【０００２】
【従来の技術】
衛星や地上波を用いたディジタル放送を受信するディジタル放送受信装置は、専用のアンテナや地上波用アンテナを通して受け取った複数の放送波のなかから任意の放送波をチューナによって選択し、この選択した放送波に含まれる複数のチャンネルのなかから任意のチャンネルをデマルチプレクス処理によって選択し、この選択したチャンネルのディジタル信号を取り出し、これをデコードすることによって映像・音声信号を出力する。
【０００３】
このようなディジタル放送では、従来のアナログ放送と同様に映像や音声を送信することに加え、番組情報も送信している。この番組情報は、番組名、番組開始時刻、番組継続時間、番組内容情報、番組ジャンル情報などの各種情報を含んでおり、受信装置側ではＯＳＤ（オンスクリーンディスプレイ）機能を用いたＥＰＧ（Ｅｌｅｃｔｒｏｎｉｃ　Ｐｒｏｇｒａｍ　Ｇｕｉｄｅ）表示機能によって多チャンネル放送のなかからユーザが望む番組を選択できるようになっている。更に、ＥＰＧ表示機能を用い、放送予定されている番組をＥＰＧ上で選択して視聴予約や録画予約を行うことができる。また、番組ジャンル情報や番組内容情報を用い、ユーザが入力したジャンルやキーワードに対応する情報を有する番組を抽出して一覧表示をし、ユーザが望む番組を選択して視聴や録画予約等が行えるようになっている。番組の録画については、従来より、ビデオカセットレコーダ（ＶＣＲ）等を用い、予約した番組が開始される時刻になると自動的に予約チャンネルを設定して受信した番組を記録することが行われている。また、内蔵したハードディスク等の録画装置に録画させたり、インターフェースとしてＩＥＥＥ１３９４を実装し、受信した番組を外部のハードディスクやＤ−ＶＨＳ等の録画装置に録画させるといったことも可能になっている。
【０００４】
ところで、ディジタル放送受信装置においては、例えば当該受信装置の設置時にイニシャル設定として初期チャンネルサーチを実行し、有局チャンネル情報を取得するようにしたものがある。また、イニシャル設定後においても、スタンバイ時などの非視聴時を利用して再チャンネルサーチを行い、新たな放送局の開局等に対応することが考えられる。
【０００５】
なお、従来のチャンネルサーチを行う放送受信装置としては、アナログ放送とディジタル放送のそれぞれを担当する二つのＣＰＵにおいて並行してチャンネルサーチを行うものがある（特許文献１参照）。
【０００６】
【特許文献１】
特開２００２−１７１４５３号公報
【０００７】
【発明が解決しようとする課題】
新開局チャンネルを知ったユーザは、通常はこの新開局チャンネルで放送される番組の案内を行う番組案内番組を視聴して当該新開局チャンネルの番組の雰囲気を知ることになろう。従来の放送受信装置では、番組案内番組を視聴するためにＥＰＧ表示機能等によって番組を選択して予約するといった操作を行う必要があり、受信装置の側から積極的に当該チャンネルで放送される番組に関する情報をユーザに提供するようにはできていない。
【０００８】
この発明は、上記の事情に鑑み、新たな放送局が開設されたときに、そのチャンネルで放送される番組の雰囲気をユーザに煩わしい思いをさせずに紹介することができるディジタル放送受信装置を提供することを目的とする。
【０００９】
【課題を解決するための手段】
この発明のディジタル放送受信装置は、上記の課題を解決するために、チャンネルサーチを実行して新開局チャンネルを検出する手段と、新開局チャンネルの番組情報を取得する手段と、前記番組情報に基づいて新開局チャンネルの番組案内番組を検出する手段と、番組案内番組を受信して自動録画する手段と、を備えたことを特徴とする。
【００１０】
上記の構成であれば、新開局チャンネルが検出されたときにおいて、このチャンネルに番組案内番組が有ればこれを自動的に録画するので、ユーザはこれを再生視聴することにより新開局チャンネルで放送される番組の雰囲気を煩わしい操作なしで知ることができる。
【００１１】
新開局チャンネルの番組案内番組を検出できなかったときには、ユーザ設定に基づき、番組情報を検索して所定の番組を自動録画するように構成されているのがよい。これによれば、新開局チャンネルにおいて番組案内番組が用意されていない場合でも、ユーザの設定に基づく所定の番組が録画されることになる。かかる構成において、ユーザによって指定された所定の時間帯に放送される番組を自動録画したり、録画する番組の種類をユーザが設定できたり、番組の録画時間をユーザが設定できるように構成されているのがよい。
【００１２】
新開局チャンネルが有料放送を含むときには、無料の番組案内番組又はユーザ設定に基づく所定の無料番組を検出して自動録画するのがよい。また、新開局チャンネルにおける番組自動録画を行った旨をユーザに通知するように構成されているのがよい。
【００１３】
【発明の実施の形態】
以下、この発明の実施形態を図１乃至図４に基づいて説明するが、ここではユーザが地上波ディジタル放送を視聴する場合を例示している。図１はこの実施形態のディジタル放送受信装置３０を示したブロック図であり、図２は新チャンネルの番組自動録画に関する各種設定画面を例示した説明図であり、図３は新チャンネルに係る番組自動録画処理を示したフローチャートであり、図４はユーザへの録画通知処理を説明したフローチャートである。
【００１４】
図１において、アンテナ１は、屋外において所定の方向に向けて配置されており、地上波放送局から送られてくるディジタル放送信号を受信する。
【００１５】
チューナ２は、映像・音声データを含む高周波ディジタル変調信号のうちから特定周波数の信号を取り出す。また、チューナ２は、復調回路、逆インタリーブ回路、誤り訂正回路などを備えることにより、選択したディジタル変調信号を復調してトランスポート・ストリームを出力する。
【００１６】
デマルチプレクサ（ＤＥＭＵＸ）３は、チューナ２から出力されるトランスポート・ストリームを、ＭＰＥＧ２（Ｍｏｖｉｎｇ　Ｐｉｃｔｕｒｅ　Ｅｘｐｅｒｔｓ　Ｇｒｏｕｐ２）のビデオストリーム、オーディオストリーム、およびＰＳＩ／ＳＩ（Ｐｒｏｇｒａｍ　Ｓｐｅｃｉｆｉｃ　Ｉｎｆｏｒｍａｔｉｏｎ／Ｓｅｒｖｉｃｅ　Ｉｎｆｏｒｍａｔｉｏｎ）等に分離する。デマルチプレクサ３におけるＴＳデコーダ３ａは、ユーザによって選択された番組を構成するトランスポート・ストリーム（以下、パーシャルＴＳという）をＣＰＵ１７の指令に基づいて取り出してストリーム記録・再生部４に供給し、ＡＶデコーダ７へはビデオストリーム及びオーディオストリームを供給する。なお、トランスポート・ストリームには複数のチャンネルが多重化されており、このなかから任意のチャンネルを選択するための処理は、前記ＰＳＩ／ＳＩから任意のチャンネルがトランスポート・ストリーム中でどのパケットＩＤで多重化されているかといったデータを取り出すことで可能となる。また、トランスポート・ストリームの選定もＰＳＩ／ＳＩの情報に基づいて行うことができる。更に、ＳＩには番組情報（番組名、番組開始時刻、番組継続時間、番組内容情報、番組ジャンル情報等）が含まれている。そして、番組情報中のＥＩＴ（Ｅｖｅｎｔ　Ｉｎｆｏｒｍａｔｉｏｎ　Ｔａｂｌｅ）により、番組名称、放送日時、番組内容情報、Ｅｖｅｎｔ＿ＩＤなどを特定できる。
【００１７】
ストリーム記録・再生部４は、外部録画装置（ハードディスクやＭＯ等があるが、この実施形態ではＤ−ＶＨＳとする）３１との間でＩＥＥＥ１３９４インターフェース５を通じてデータや制御信号のやりとりを行い、ＴＳデコーダ３ａから出力されたパーシャルＴＳを外部録画装置３１に書き込み（記録）、また、外部録画装置３１からパーシャルＴＳを読み出すことができる（再生）。
【００１８】
ＡＶデコーダ７は、ビデオストリームに対してデコードを行うビデオデコーダ、及びオーディオストリームに対してデコードを行うオーディオデコーダを備える。ビデオデコーダは、入力された可変長符号を復号して量子化係数や動きベクトルを求め、逆ＤＣＴ変換や動きベクトルに基づく動き補償制御等を行う。オーディオデコーダは、入力された符号化信号を復号して音声データを生成する。
【００１９】
映像処理回路８は、ＡＶデコーダ７から映像データを受け取ってＤ／Ａ変換を行い、例えばＮＴＳＣコンポジット信号に変換する。音声処理回路９は、ＡＶデコーダ７から出力された音声データを受け取ってＤ／Ａ変換を行い、例えば右（Ｒ）音のアナログ信号及び左（Ｌ）音のアナログ信号を生成する。
【００２０】
映像出力回路１０及び音声出力回路１１は出力抵抗や増幅器等を備えて成る。ＡＶ出力端子１２には、出力部（左右音声出力端子等や映像出力端子のセット）が設けられており、この出力部には、ディスプレイやスピーカを備えるモニタ１４が映像／音声コード１３によって接続される。
【００２１】
ＯＳＤ回路１９は、ＣＰＵ１７から出力指示された文字情報や色情報に基づくビットマップデータを加算器２０に出力する。加算器２０は前記ビットマップデータを映像データに組み込む処理を行う。上記ＯＳＤ回路１９により、ＣＰＵ１７が受け取ったＰＳＩ／ＳＩに基づくＥＰＧ表示や新チャンネルの番組自動録画に関する各種設定画面の表示などが行えることになる。
【００２２】
リモコン送信機１５は、当該放送受信装置３０に指令を送出するための送信機である。このリモコン送信機１５に設けられた図示しないキーを操作すると、そのキーに対応した指令を意味する信号光（リモコン信号）が図示しない発光部から送出される。リモコン受光器１６は、前記信号光を受光し、これを電気信号に変換してＣＰＵ１７に与える。
【００２３】
メモリ（ＲＡＭ、ＥＥＰＲＯＭ、フラッシュメモリ等）１８には、ＥＰＧ画面などを表示したり番組案内番組を検出するためなどに用いられる番組情報の他、後述する新開局チャンネルの番組自動録画に関する各種設定内容などが格納される。
【００２４】
モデム２２は、例えば双方向通信や課金センターへ視聴履歴情報を伝送する際のダイヤルアップ接続においてＣＰＵ１３の制御の下で動作する。
【００２５】
ＩＣカード２１Ａは、有料放送を視聴可能にするための鍵情報や番組毎に課金対象となるＰＰＶ番組の視聴履歴情報などをその内蔵メモリに格納する。ＣＡモジュール２１は、ＣＰＵ１３とＩＣカード２１Ａとの間で諸情報の書き込み処理や読出し処理を行う。
【００２６】
ＣＰＵ１３は、このディジタル放送受信装置３０における全体制御を行うものであるが、特にこの発明にかかる制御として、新開局チャンネルの番組自動録画処理などを行うようになっている。
【００２７】
図２は、新開局チャンネルの番組自動録画に関する各種ユーザ設定画面を例示した説明図である。ユーザはリモコン送信機１５を用いて、例えばメニュー画面に設けられた「新チャンネルの番組自動録画設定」の項目を選択してこれらの画面を表示することができる。後に説明するが、これらの画面において設定された内容は、新開局チャンネルが検出され、このチャンネルについての番組案内番組が存在しない場合に用いられることになる。図２（ａ）は、「検索時間設定」画面を例示している。この画面において、ユーザは自身の放送視聴時間帯を入力する。例えば、出勤前の７時から８時までと、帰宅後の２０時から２２時の間に放送される番組を視聴する機会が多いのであれば、ユーザはリモコン送信機１５の数字キーを操作して図２（ａ）に示したとおり「７時〜８時」及び「２０時〜２２時」と入力すればよい。この設定に基づき、ＣＰＵ１３はユーザが通常番組を視聴する時間帯である７時〜８時及び２０時〜２２時の間に放送される番組を自動録画の対象とすることになる。
【００２８】
図２（ｂ）は、「録画時間設定」画面を例示している。この画面では、例えば「録画時間内の番組を録画」及び「一定時間録画」のうち一方を選択する。また「時間設定」の項目において、「０．５ｈ」や「１．０ｈ」などと表示された時間のなかから任意の時間を選択する。ユーザが例えば「録画時間内の番組を録画」及び「１．０ｈ」を選択した場合には、番組自動録画処理においてＣＰＵ１３は番組情報中の番組継続時間を参照し、放送時間が１時間以内の番組を自動録画の対象とすることにしている。一方、図２（ｂ）に例示したとおり「一定時間録画」及び「１．０ｈ」が選択されたのであれば、ＣＰＵ１３は番組の放送時間に拠らずに自動録画番組を決定し、例えば放送時間が２時間の番組については前半の１時間だけを録画することにしている。勿論、これらの設定は例示であり、限定されるものではない。
【００２９】
図２（ｃ）は、「ジャンル設定」画面を例示している。この画面において、ユーザは好みの番組ジャンルを選択する。この画面には、例えば「繰り返し放送」、「ニュース」、「映画」、「スポーツ」といったジャンルが設けられている。ユーザがリモコン送信機１５の上下キーを操作して、このなかから例えば「スポーツ」を選択した場合には、番組案内番組が存在しない場合において、ＣＰＵ１３は番組情報中の番組ジャンル情報が「スポーツ」である番組を自動録画することになる。
【００３０】
図３は、新チャンネルに係る番組自動録画処理を示したフローチャートである。例えば、スタンバイ時などの非視聴時を利用した再チャンネルサーチにより新たな放送局の開設情報を取得すると（ステップＳ１）、ＣＰＵ１３は新開局チャンネルの番組情報中のＥＩＴから番組名称、放送日時、番組内容情報、Ｅｖｅｎｔ＿ＩＤなどを取得する（ステップＳ２）。また、ＣＰＵ１３は番組一覧表（番組情報）をメモリ１８に記憶し（ステップＳ３）、この番組一覧表を検索して新開局チャンネルについての番組案内番組があるかどうかを確認する（ステップＳ４）。番組案内番組がある場合には、その番組開始時刻になるとこれを受信して録画し（ステップＳ６）、番組案内番組がない場合には前述のユーザ設定内容をメモリ１８から読み出し、この設定に基づき自動録画対象番組を検索することになる（ステップＳ７）。設定内容に該当する番組がない場合（ステップＳ８でＮＯ）には処理を終了し、該当番組がある場合には設定による時間、番組を録画することになる（ステップＳ９）。そして、番組の録画を終了させ（ステップＳ１０）、新開局チャンネルの番組自動録画処理を終了する。なお、新開局チャンネルが有料放送を含む場合には無料の番組案内番組を録画することとし、無料の番組案内番組が存在しない場合には前述のユーザ設定に基づき所定の無料番組を検出して録画を実行するのがよい。また、無料番組が存在しない場合には、取得した番組情報等をユーザに紹介することとしてもよい。
【００３１】
図４は、ユーザへの録画通知処理例を説明したフローチャートである。新開局チャンネルにおける番組案内番組又は所定の番組の録画を終了すると（ステップＳ１１）、ＣＰＵ１３はテレビＯＮであるかどうかを判断する（ステップＳ１２）。テレビＯＮでない場合には次にテレビＯＮされるまで待機し、テレビＯＮされると番組案内番組又は所定の番組の録画を実施したことを通知する（ステップＳ１３）。例えば、「新チャンネルの番組案内番組を録画しました。視聴しますか。ＹＥＳ／ＮＯ」といったメッセージを画面に表示して、ユーザがＹＥＳを選択した場合には録画データを再生する。また、録画済みであることを示すマークを画面に表示したり、受信装置３０が待機中であってもＬＥＤを点灯させることによりユーザへの通知を行うこともできる。
【００３２】
以上説明したように、この実施形態のディジタル放送受信装置であれば、新チャンネルが検出されたときには、自動的に新チャンネルに係る番組案内番組が録画されることになる。また、番組案内番組が存在しない場合であっても、ユーザが通常番組を視聴する時間帯や録画時間の長さ、また視聴したい番組のジャンルなどを設定しておくことにより、適当な番組が自動的に選択されて録画されることになる。ユーザはこの録画番組を視聴することにより、例えば新チャンネルの放送に興味のある番組があるかどうかを確認することができるようになる。
【００３３】
なお、上記の実施形態では、外部録画装置３１に番組を録画させることとしたが、これに限るものではなく、内部録画機器に録画させるようにしてもよい。また、ディジタル映像録画ではなく、アナログ化した映像信号を録画するようにしてもよいものである。
【００３４】
【発明の効果】
以上説明したように、この発明によれば、新たな放送局が開設されたときに、そのチャンネルで放送される番組の雰囲気をユーザに煩わしい思いをさせずに紹介することができるという効果を奏する。
【図面の簡単な説明】
【図１】この発明の実施形態のディジタル放送受信装置を示したブロック図である。
【図２】新開局チャンネルの番組自動録画に関する各種設定画面を例示した説明図である。
【図３】新開局チャンネルに係る番組自動録画処理を示したフローチャートである。
【図４】ユーザへの録画通知処理を説明したフローチャートである。
【符号の説明】
１　　　アンテナ
２　　　チューナ
３　　　デマルチプレクサ（ＤＥＭＵＸ）
３ａ　　ＴＳデコーダ
４　　　ストリーム記録再生部
５　　　ＩＥＥＥ１３９４インターフェース
７　　　ＡＶデコーダ
１７　　ＣＰＵ
１８　　メモリ
１９　　ＯＳＤ回路
２１　　ＣＡモジュール
２１Ａ　ＩＣカード
２２　　モデム
３１　　外部録画装置
【図１】
2004128883.tif 000003
【図２】
2004128883.tif 000004
【図３】
2004128883.tif 000005
【図４】
2004128883.tif 000006